【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
クライアントからの参照要求に応じて、帳票データを送信するサーバを備える電子帳票システムにおいて、
前記サーバは、
帳票イメージを表示するために用いられる帳票データ、及び該帳票データにより表示される帳票イメージ上に指定される矩形領域に、それぞれ設定される少なくとも参照の可否を決定するためのアクセス権限情報を記憶する記憶手段と、
前記クライアントからの帳票データの参照要求を受け付ける参照要求受付手段と、
前記参照要求を受け付けた帳票データに対応する前記記憶手段により記憶される前記矩形領域のアクセス権限情報、及び前記クライアントを操作するユーザに設定されるアクセス権限情報とから、該ユーザに参照が認められない前記矩形領域を特定する特定手段と、
前記参照要求を受け付けた帳票データのうち、前記特定された矩形領域内に表示されることとなる文字を前記クライアントに送信されないように、当該文字を空白又は異なる文字に変換する変換手段と、
前記変換手段により変換された帳票データを前記クライアントに送信する送信手段とを備え、
前記クライアントは、
前記サーバから送信される前記帳票データを受信する受信手段と、
前記受信した帳票データにより表示される帳票イメージ上の矩形領域であって、前記ユーザに参照が認められない前記矩形領域に対してマスキング処理をするマスキング処理手段とを備えることを特徴とする電子帳票システム。
【請求項２】
前記サーバの特定手段は、前記参照要求を受け付けた帳票データに対応する前記記憶手段により記憶される前記矩形領域のアクセス権限情報、及び前記クライアントを操作するユーザに設定されるアクセス権限情報とから、該ユーザに参照が認められる前記矩形領域を特定するものであり、
前記サーバは、
前記特定された前記ユーザに参照が認められる前記矩形領域の座標情報を前記クライアントに送信する座標情報送信手段を更に備え、
前記クライアントの受信手段は、前記サーバから送信される前記矩形領域の座標情報を受信するものであり、
前記クライアントは、
前記受信手段により受信した前記帳票データ及び前記矩形領域の座標情報を用いて、該矩形領域が識別可能となるように表示装置に帳票イメージを表示する表示制御手段と、
前記表示された矩形領域内に表示される文字を非表示とすべく、前記表示された矩形領域を選択する選択手段と、
前記選択された矩形領域内に表示される文字をユーザが識別不能となるように、空白又は異なる文字に変換する変換手段と
を更に備えることを特徴とする請求項１に記載の電子帳票システム。
【請求項３】
前記座標情報送信手段は、前記送信手段により前記変換された帳票データを前記クライアントに送信するとき、又は前記クライアントからの受信要求があったときに前記座標情報を送信することを特徴とする請求項２に記載の電子帳票システム。
【請求項４】
前記クライアントからの受信要求は、該クライアントにおいて、前記送信手段により送信された帳票データの表示後、ユーザ操作されることなく所定期間が経過したときになされることを特徴とする請求項３に記載の電子帳票システム。
【請求項５】
前記サーバは、
前記クライアントから前記帳票データについて所定の検索条件の検索要求があったとき、当該検索条件に該当する文字を前記帳票データから検索し、前記検索された文字の位置情報を検索結果として前記クライアントに送信する検索結果送信手段をさらに備え、
前記検索結果送信手段は、前記送信される位置情報のうち、前記参照が認められない前記矩形領域内にある文字の位置情報を削除することを特徴とする請求項１乃至４のいずれか１項に記載の電子帳票システム。
【請求項６】
クライアントからの参照要求に応じて、帳票データを送信するサーバを備える電子帳票システムのマスキング方法において、
前記サーバにおいて、帳票イメージを表示するために用いられる帳票データ、及び該帳票データにより表示される帳票イメージ上に指定される矩形領域に、それぞれ設定される少なくとも参照の可否を決定するためのアクセス権限情報を記憶する記憶ステップと、
前記サーバにおいて、前記クライアントからの帳票データの参照要求を受け付ける参照要求受付ステップと、
前記サーバにおいて、前記参照要求を受け付けた帳票データに対応する前記記憶ステップで記憶される前記矩形領域のアクセス権限情報、及び前記クライアントを操作するユーザに設定されるアクセス権限情報とから、該ユーザに参照が認められない前記矩形領域を特定する特定ステップと、
前記サーバにおいて、前記参照要求を受け付けた帳票データのうち、前記特定された矩形領域内に表示されることとなる文字を前記クライアントに送信されないように、当該文字を空白又は異なる文字に変換する変換ステップと、
前記サーバにおいて、前記変換ステップで変換された帳票データを前記クライアントに送信する送信ステップと、
前記クライアントにおいて、前記サーバから送信される前記帳票データを受信する受信ステップと、
前記クライアントにおいて、前記受信した帳票データにより表示される帳票イメージ上の矩形領域であって、前記ユーザに参照が認められない前記矩形領域に対してマスキング処理をするマスキング処理ステップとを備えることを特徴とするマスキング方法。
【請求項７】
クライアントからの参照要求に応じて、帳票データを送信するサーバを備える電子帳票システムのマスキング方法をコンピュータにより実行するプログラムにおいて、前記マスキング方法は、
前記サーバにおいて、帳票イメージを表示するために用いられる帳票データ、及び該帳票データにより表示される帳票イメージ上に指定される矩形領域に、それぞれ設定される少なくとも参照の可否を決定するためのアクセス権限情報を記憶する記憶ステップと、
前記サーバにおいて、前記クライアントからの帳票データの参照要求を受け付ける参照要求受付ステップと、
前記サーバにおいて、前記参照要求を受け付けた帳票データに対応する前記記憶ステップで記憶される前記矩形領域のアクセス権限情報、及び前記クライアントを操作するユーザに設定されるアクセス権限情報とから、該ユーザに参照が認められない前記矩形領域を特定する特定ステップと、
前記サーバにおいて、前記参照要求を受け付けた帳票データのうち、前記特定された矩形領域内に表示されることとなる文字を前記クライアントに送信されないように、当該文字を空白又は異なる文字に変換する変換ステップと、
前記サーバにおいて、前記変換ステップで変換された帳票データを前記クライアントに送信する送信ステップと、
前記クライアントにおいて、前記サーバから送信される前記帳票データを受信する受信ステップと、
前記クライアントにおいて、前記受信した帳票データにより表示される帳票イメージ上の矩形領域であって、前記ユーザに参照が認められない前記矩形領域に対してマスキング処理をするマスキング処理ステップとを備えることを特徴とするプログラム。
【請求項８】
前記請求項７記載のプログラムを格納することを特徴とするコンピュータ読取り可能な記憶媒体。
【手続補正２】
【補正対象書類名】明細書
【補正対象項目名】発明の名称
【補正方法】変更
【補正の内容】
【発明の名称】電子帳票システム及びそのマスキング方法、そのプログラム、並びに記憶媒体
【手続補正３】
【補正対象書類名】明細書
【補正対象項目名】０００１
【補正方法】変更
【補正の内容】
【０００１】
本発明は、電子帳票システム及びそのマスキング方法、そのプログラム、並びに記憶媒体に関し、特に、帳票データに対してマスキングを行う電子帳票システム及びそのマスキング方法、そのプログラム、並びに記憶媒体に関する。
【手続補正４】
【補正対象書類名】明細書
【補正対象項目名】０００８
【補正方法】変更
【補正の内容】
【０００８】
本発明の目的は、帳票内の非公開領域からの情報漏洩を確実に防ぐことができる電子帳票システム及びそのマスキング方法、そのプログラム、並びに記憶媒体を提供することにある。
【手続補正５】
【補正対象書類名】明細書
【補正対象項目名】０００９
【補正方法】変更
【補正の内容】
【０００９】
上記の目的を達成するために、請求項１記載の電子帳票システムは、クライアントからの参照要求に応じて、帳票データを送信するサーバを備える電子帳票システムにおいて、前記サーバは、帳票イメージを表示するために用いられる帳票データ、及び該帳票データにより表示される帳票イメージ上に指定される矩形領域に、それぞれ設定される少なくとも参照の可否を決定するためのアクセス権限情報を記憶する記憶手段と、前記クライアントからの帳票データの参照要求を受け付ける参照要求受付手段と、前記参照要求を受け付けた帳票データに対応する前記記憶手段により記憶される前記矩形領域のアクセス権限情報、及び前記クライアントを操作するユーザに設定されるアクセス権限情報とから、該ユーザに参照が認められない前記矩形領域を特定する特定手段と、前記参照要求を受け付けた帳票データのうち、前記特定された矩形領域内に表示されることとなる文字を前記クライアントに送信されないように、当該文字を空白又は異なる文字に変換する変換手段と、前記変換手段により変換された帳票データを前記クライアントに送信する送信手段とを備え、前記クライアントは、前記サーバから送信される前記帳票データを受信する受信手段と、前記受信した帳票データにより表示される帳票イメージ上の矩形領域であって、前記ユーザに参照が認められない前記矩形領域に対してマスキング処理をするマスキング処理手段とを備えることを特徴とする。
【手続補正６】
【補正対象書類名】明細書
【補正対象項目名】００１０
【補正方法】変更
【補正の内容】
【００１０】
請求項６記載のマスキング方法は、クライアントからの参照要求に応じて、帳票データを送信するサーバを備える電子帳票システムのマスキング方法において、前記サーバにおいて、帳票イメージを表示するために用いられる帳票データ、及び該帳票データにより表示される帳票イメージ上に指定される矩形領域に、それぞれ設定される少なくとも参照の可否を決定するためのアクセス権限情報を記憶する記憶ステップと、前記サーバにおいて、前記クライアントからの帳票データの参照要求を受け付ける参照要求受付ステップと、前記サーバにおいて、前記参照要求を受け付けた帳票データに対応する前記記憶ステップで記憶される前記矩形領域のアクセス権限情報、及び前記クライアントを操作するユーザに設定されるアクセス権限情報とから、該ユーザに参照が認められない前記矩形領域を特定する特定ステップと、前記サーバにおいて、前記参照要求を受け付けた帳票データのうち、前記特定された矩形領域内に表示されることとなる文字を前記クライアントに送信されないように、当該文字を空白又は異なる文字に変換する変換ステップと、前記サーバにおいて、前記変換ステップで変換された帳票データを前記クライアントに送信する送信ステップと、前記クライアントにおいて、前記サーバから送信される前記帳票データを受信する受信ステップと、前記クライアントにおいて、前記受信した帳票データにより表示される帳票イメージ上の矩形領域であって、前記ユーザに参照が認められない前記矩形領域に対してマスキング処理をするマスキング処理ステップとを備えることを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項１０記載のプログラムは、クライアントからの参照要求に応じて、帳票データを送信するサーバを備える電子帳票システムのマスキング方法をコンピュータにより実行するプログラムにおいて、前記マスキング方法は、前記サーバにおいて、帳票イメージを表示するために用いられる帳票データ、及び該帳票データにより表示される帳票イメージ上に指定される矩形領域に、それぞれ設定される少なくとも参照の可否を決定するためのアクセス権限情報を記憶する記憶ステップと、前記サーバにおいて、前記クライアントからの帳票データの参照要求を受け付ける参照要求受付ステップと、前記サーバにおいて、前記参照要求を受け付けた帳票データに対応する前記記憶ステップで記憶される前記矩形領域のアクセス権限情報、及び前記クライアントを操作するユーザに設定されるアクセス権限情報とから、該ユーザに参照が認められない前記矩形領域を特定する特定ステップと、前記サーバにおいて、前記参照要求を受け付けた帳票データのうち、前記特定された矩形領域内に表示されることとなる文字を前記クライアントに送信されないように、当該文字を空白又は異なる文字に変換する変換ステップと、前記サーバにおいて、前記変換ステップで変換された帳票データを前記クライアントに送信する送信ステップと、前記クライアントにおいて、前記サーバから送信される前記帳票データを受信する受信ステップと、前記クライアントにおいて、前記受信した帳票データにより表示される帳票イメージ上の矩形領域であって、前記ユーザに参照が認められない前記矩形領域に対してマスキング処理をするマスキング処理ステップとを備えることを特徴とする。
【手続補正９】
【補正対象書類名】明細書
【補正対象項目名】００１３
【補正方法】変更
【補正の内容】
【００１３】
本発明によれば、サーバは、帳票イメージを表示するために用いられる帳票データ、及び該帳票データにより表示される帳票イメージ上に指定される矩形領域に、それぞれ設定される少なくとも参照の可否を決定するためのアクセス権限情報を記憶し、クライアントからの帳票データの参照要求を受け付け、その参照要求を受け付けた帳票データに対応する上記記憶される矩形領域のアクセス権限情報、及びクライアントを操作するユーザに設定されるアクセス権限情報とから、該ユーザに参照が認められない矩形領域を特定し、参照要求を受け付けた帳票データのうち、特定された矩形領域内に表示されることとなる文字をクライアントに送信されないように、当該文字を空白又は異なる文字に変換し、上記変換された帳票データをクライアントに送信する一方、クライアントは、サーバから送信される帳票データを受信し、受信した帳票データにより表示される帳票イメージ上の矩形領域であって、ユーザに参照が認められない矩形領域に対してマスキング処理をするので、クライアントには、上記特定された矩形領域内の変換前に表示されていた文字は送信されなくなり、その結果、帳票内の非公開領域からの情報漏洩を確実に防ぐことができる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
好ましくは、クライアントからの受信要求は、クライアントにおいて、上記送信された帳票データの表示後、ユーザ操作されることなく所定期間が経過したときになされるので、機密データを含む帳票データをクライアントで参照している際にログインユーザが席をはずした場合等に第三者にその機密データを見せない制限時間マスキング処理を行うことができる。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
好ましくは、サーバは、クライアントから帳票データについて所定の検索条件の検索要求があったとき、この検索条件に該当する文字を帳票データから検索し、検索された文字の位置情報を検索結果としてクライアントに送信する際に、この送信される位置情報のうち、上記参照が認められない矩形領域内にある文字の位置情報を削除するので、クライアントの端末ユーザが参照できない非公開領域のデータが検索処理ではヒットするという不整合が起こることを防止することができる。